(57)【要約】【目的】  シリアルドットインパクトヘッドを有する印刷装置のページモード印刷においても強調印刷を可能とする。【構成】  ページモード印刷を行うときのイメージデータ（ページデータ）をメモリ（ページメモリ）に保存しておいて、当該ページデータに基づき印刷媒体の被印刷領域へページモード印刷を行う。その後、このページデータを再利用して同一の被印刷領域へページモード印刷を繰り返す。【選択図】      図４
2005053115.tif 000002
【特許請求の範囲】
【請求項１】
印刷媒体の被印刷領域へシリアルドットインパクトヘッドを用いてページデータに基づき
ページモード印刷を行う第１の印刷ステップと、
前記ページデータを再度用いて前記印刷媒体の被印刷領域にページモード印刷を繰り返
す第２の印刷ステップと、
を有する印刷制御方法。
【請求項２】
前記第１の印刷ステップと前記第２の印刷ステップとにおいて前記シリアルドットインパ
クトヘッドのドットの位置が実質的に重なるか、若しくは僅かにずれることにより前記被
印刷領域の全域を強調印刷する、ことを特徴とする請求項１に記載の印刷制御方法。
【請求項３】
シリアルドットインパクトヘッド及びページデータを保存するメモリを備え、印刷媒体の
被印刷領域へ前記ページデータに基づいて前記シリアルドットインパクトヘッドによりペ
ージモード印刷を行い、強調印刷の要求があったとき、前記ページデータを再度利用して
前記印刷媒体の被印刷領域に対して再度ページモード印刷を行う、ことを特徴とする印刷
装置。
【請求項４】
前記最初のページモード印刷時の前記ヘッドのドットの位置と前記再度のページモード印
刷時の前記ヘッドのドットの位置とを実質的に重ねるか、若しくは僅かにずらすことによ
り前記被印刷領域の全域を強調印刷する、ことを特徴とする請求項３に記載の印刷装置。
【発明の詳細な説明】
【技術分野】
【０００１】
この発明はシリアルドットインパクトヘッドを有する印刷装置の印刷制御方法に関する
。
【背景技術】
【０００２】
ドットプリンタでは文字、記号その他の図柄が細かいドットの集合体（ドットパターン
）として印刷される。縦一列に並べられた９本のワイヤ（９ドット）を用いるシリアルド
ットインパクトヘッド（以下、単に「ヘッド」ということがある）を有するドットプリン
タでは、ヘッドのワイヤ数に対応した９ドットの幅のドットパターン単位で印刷を行って
いる。即ち、図１に示すように単位行（Ｌ１、Ｌ２  …）毎に９ドット幅の独立したドッ
トパターン３を構成し、紙送りをしながら単位行毎に印刷をおこなう。かかるスタンダー
ドモードにおいて、ドットパターン３を強調印刷するには、単位行印刷した後に紙送りを
せずに、同一行を再印刷する。これにより、最初の印刷において印刷されたドットの上に
次の印刷において印刷されるドットが重なる。よって、各ドットが強調され、結果として
ドットパターンが強調されることとなる。この場合、イメージデータ毎に強調印刷するこ
とができる。つまり、図１（Ａ）で“Ａ”、“Ｂ”、“Ｃ”…をそれぞれの文字単位で強
調印刷する／しないを指定し、実施することができる。図中符号１はシリアルドットイン
パクトヘッドであり、符号２は帳票（印字媒体）を示す。
【０００３】
かかるスタンダードモード印刷では縦方向に９ドット幅を超えるイメージデータの印刷
をすることができない。そこで、縦方向に９ドット幅を超えるイメージデータを９ドット
の単位行（Ｌ１、Ｌ２、Ｌ３、Ｌ４  …）に分解し、当該行ごとに印刷を実行する。これ
により、図１（Ｂ）に示すように、９ドット幅を超える大きなドットパターン５が印刷で
きることとなる（ページモード印刷）。
電子小切手等の帳票を印刷対象とするシリアルドットインパクトヘッドを有する印刷装
置においては、当該ページモードは専ら文字の印刷方向を変更するときに用いられる。例
えば、図１（Ｃ）に示すように、文字を横転して帳票２の送り方向に文字を印刷する場合
、帳票２において被印刷領域７を１つのイメージデータとして、それを単位行（Ｌ１、Ｌ
２、Ｌ３  …）毎に展開して印刷が行われる。
【０００４】
本件に関連する文献として、特許文献１〜４を参照されたい。
【０００５】
【特許文献１】特許第３３６４３４０号公報
【特許文献２】特開平８−１１８６８３号公報
【特許文献３】特開平７−１０６６４５号公報
【特許文献４】特開昭６２−１８９１６７号公報
【発明の開示】
【発明が解決しようとする課題】
【０００６】
既述のように、シリアルドットインパクトヘッドを有する印刷装置においてそのスタン
ダードモードにおいては、単位行毎に繰り返し印刷を行うことにより、ドットパターンを
強調印刷することができる。
他方、ページモード印刷においてはページメモリ容量の制約から強調印刷を行うことが
出来なかった。
そこでこの発明の一つの目的は、シリアルドットインパクトヘッドを有する印刷装置の
ページモード印刷においても強調印刷を可能とすることにある。
この発明の他の目的は、印刷装置のハード資源、特にメモリ資源にかかる負担を出来る
限り小さくしつつページモード印刷における強調印刷を可能とすることにある。
【課題を解決するための手段】
【０００７】
上記課題を解決するために、この発明では、ページモード印刷を行うときのイメージデ
ータ（ページデータ）をメモリ（ページメモリ）に保存しておいて、当該ページデータに
基づき印刷媒体の被印刷領域へページモード印刷を行う。その後、このページデータを再
利用して同一の被印刷領域へページモード印刷を繰り返す。これにより、先のページモー
ド印刷を実行したときのドットの位置と後のページモード印刷を実行したときのドットの
位置とが重なりあって被印刷領域の全域において強調印刷が行われることとなる。２回の
ページモード印刷を行うときの基礎データであるページデータは同一のものであるので、
１つのページメモリにこれを保存しておけばよい。このページメモリは、強調印刷を実行
するか否かに拘わらず、ページモード印刷においてページデータを保存するために不可欠
であるため、印刷装置においてそのメモリ資源に何ら負荷が追加されることにはならない
。
【発明の効果】
【０００８】
この発明の印刷制御方法は、印刷媒体の被印刷領域へシリアルドットインパクトヘッド
を用いてページデータに基づきページモード印刷を行う第１の印刷ステップと、前記ペー
ジデータを再度用いて前記印刷媒体の被印刷領域にページモード印刷を繰り返す第２の印
刷ステップとを有する。
このように、同一のページデータを用いることにより、印刷装置のハード資源、特にメ
モリ資源にかかる付加が可及的に小さくなる。よって、装置コストを安価に抑えた状態で
ページモード印刷時の強調印刷が可能となる。
【発明を実施するための最良の形態】
【０００９】
以下、この発明の各要素について説明する。
印刷媒体はシリアルドットインパクトヘッドにより印刷可能なものであれば特に限定さ
れず、帳票等の紙やラベルなどを用いることができる。印刷媒体において被印刷領域は任
意に設定することができる。この発明において一旦設定された被印刷領域に対して結果と
して２度のページモード印刷が施される。
印刷媒体はシリアルドットインパクトヘッドの移動方向と実質的に垂直な方向へ移動さ
れる。ページモード印刷の９ドットの単位行に分解された最初の単位行の印刷が終了した
後、印字媒体を移動させずに同じ単位行の印刷データを使って、そこから２度目の単位行
の印刷を実行する。この動作をページモード印刷領域の中で繰り返す。
【００１０】
シリアルドットインパクトヘッドは所定数のワイヤ（実施例では９本のワイヤ）を直線
状に配置して印字ヘッドとしている。このヘッドはキャリッジに取付けられて印刷媒体の
送り方向と直交する方向へ往復移動される。
【００１１】
ページデータは印字媒体の被印刷領域全体のイメージデータ（ドットパターン）の基礎
となるものであり、印刷装置のページメモリに保存される。ページデータはドットパター
ンに対応したビットマップデータ形式とすることのほか、所定のルールに従って圧縮若し
くは変換されたイメージデータとすることもできる。いずれのデータ形式であっても、ペ
ージデータは単位行毎に展開されて、シリアルドットインパクトヘッドで印刷可能となる
。
【００１２】
１つの強調印刷例として、２回目のページモード印刷のドットパターンの各ドットを１
回目のページモード印刷のドットパターンの各ドットに実質的に重なるようにして強調印
刷が行われる。
また、図２（ア）〜（ウ）に示すように、１回目のドットに対して２回目のドットを僅
かにずらしてもよい。図２（ア）は、２回目のページモード印刷時の印刷媒体とヘッドと
の相対位置を印字媒体の進行方向にハーフドットずらした例を示す。これは、２回目のペ
ージモード印刷開始時に印字媒体をハーフドットの長さだけ進めておく（若しくは戻して
おく）ことにより実行される。図２（イ）では２回目のページモード印刷時の印刷媒体と
ヘッドとの相対位置がヘッドの移動方向にハーフドットずれている。これは、ヘッドの移
動開始位置を全体的に移動方向へハーフドット移動させることにより達成できる。図２（
ウ）は上記の（ア）と（イ）を同時に達成したものである。
【００１３】
いずれの場合においても、同一のページデータを利用する関係上、１回目のページモー
ド印刷と２回目のページモード印刷とにおいてシリアルドットインパクトヘッドは同一の
動作を行う。従って、強調印刷は被印刷領域の全体に渡って行われることとなる。
ここに、２回目のページモード印刷のシリアルドットインパクトヘッドの動作を１回目
のページモード印刷時のものと異なるようにするには、１回目と２回目のページモード印
刷にあわせてそれぞれのページデータを準備する必要がある。そのためには、ページメモ
リを増設する必要があり、印刷装置に要求されているコンパクト化及び低コスト化に反す
ることとなる。
【００１４】
ページモード印刷において強調印刷のオン・オフは強調指定の選択するコマンドを入力
することにより制御できる。また、印刷装置自体のディップスイッチ若しくはメモリスイ
ッチにより所定の条件において常に強調印刷が実行されるようにすることもできる。
【実施例】
【００１５】
図３には、実施例の印刷装置におけるシリアルドットインパクトヘッド１１の構成を示
す。ヘッド１１はキャリッジ１５に取付けられている。このキャリッジ１５は印刷媒体の
移動方向と垂直方向に移動される。ヘッド１１は縦一列に並んだ９本の印字ワイヤ１３を
有し、これをインクリボン１４に打ち付けることにより帳票１２へ印刷が施される。帳票
１２は紙送りローラ１６により上下方向に移動される。符号１７はプラテンである。
【００１６】
図４及び図５には、実施例の印刷装置の構成をブロック図に表した。
図３で示したヘッド１１、キャリッジ１５及び紙送りローラ１６はそれぞれのヘッド駆
動制御部４１、キャリッジ駆動制御部４３及び紙送りローラ駆動制御部４５によりその動
作が制御される。これらの駆動制御部４１、４３及び４５は主制御部２１により制御され
ている。
主制御部２１はモード切換部２３、スタンダードモード制御部２５、及びページモード
制御部２７を有する。
【００１７】
スタンダードメモリ３１はスタンダードモード印刷時に印刷可能な文字、記号等のキャ
ラクタデータ３５を印刷データとして保存する。ページメモリ３３にはページモード印刷
時に用いられるイメージデータ（被印刷領域７に印刷されるべきイメージ）が保存される
。
図５に示すように、ページメモリ３３から読み出されたイメージデータは、ページモー
ド制御部２７のページデータ生成部２８において、被印刷領域７に対応したビットマップ
データに変換される。このビットマップデータの各ビット間のピッチはヘッド１１の印刷
ワイヤ１３のピッチに対応している。かかるページデータは展開部２９において単位行（
Ｌ１、Ｌ２、Ｌ３  …）ごとに分解され、ヘッド駆動制御部４１、キャリッジ駆動制御部
４３及び紙送りローラ４５駆動制御部４５に送られる。
これらの各駆動制御部４１、４３、４５は展開されたページデータが各単位行ごとに印
刷されるように、ヘッド１１、キャリッジ１５および紙送りローラ１６を制御する。
【００１８】
次に、この実施例の印刷装置の動作について説明をする（図６参照）。
先ず、ステップ１でページモード印刷の実行指令が入力されると、主制御部２１のモー
ド切換部２３がページモード制御部２７をＯＮとする。ページモード印刷の実行指令の例
として、入力装置６０としてのホストコンピュータ装置から「ＥＳＣ  Ｌ」のコマンドを
入力する。
【００１９】
続いて、帳票１２の所定の被印刷領域に印刷すべきイメージデータを入力装置６０から
入力する（ステップ３）。なお、この実施例では、図１（Ｃ）に示すように帳票へ横転し
た文字を印字しようとするとき、横転を指定するコマンドとして「ＥＳＣＴ」を入力装置
６０から入力し、続いて所望の文字データを入力するとページメモリ３３に所望の文字が
横転されたイメージで保存される。
【００２０】
次に、ステップ５において、入力装置６０からページモード印刷実行指令が入力される
。この指令により、ページメモリ３３からイメージデータが読み出されてページモード制
御部２７のページデータ生成部２８で被印刷領域に対応したページデータが生成される。
このページデータは展開部２９で展開されて、ヘッド１１、キャリッジ１５および紙送り
ローラ１６に対する具体的な動作条件が単位行毎に生成される。
【００２１】
ステップ７において、強調印刷実行指令の有無が判断される。強調印刷実行指令は例え
ば「ＥＳＣ  Ｅ」（二重印字）、「ＥＳＣ  Ｇ」（図２参照）等のコマンドを入力装置６
０から入力することにより行う。また、ディップスイッチ５３を用いてハード的に入力す
ることもできる。
強調印刷実行指令が無いときは、単位行を印刷する毎に紙送りを行い、ページモードの
被印刷領域の全領域について印刷を完了させる（ステップ８、ステップ９）。
【００２２】
他方、強調印刷実行指令が有るときは、ステップ１１に進む。ステップ１１では単位行
の印刷を行った後、ステップ１３で更に同じ単位行において同一の印刷を繰り返す。この
とき、帳票１２をハーフドット進めると図２（ア）の状態の強調印刷が可能となる。これ
により、帳票の被印刷領域において既にドットの跡がある上に更にドットが重ねられ、も
って、ドットパターンが強調されることとなる。
同一単位行に対する２回目のページモード印刷の動作（ステップ１３）は実質的に１回
目のページモード印刷動作（ステップ１１）を繰り返せばよいので、印刷装置のハード資
源特にメモリ資源に何ら負荷を追加させることはない。
その後、紙送りをして、単位行についてのかかる２度の印刷を繰り返し、ページモード
の被印刷領域の全領域について印刷を完了させる（ステップ１５）。
【００２３】
上記において、強調印刷実行指令はページモード印刷実行指令を入力するまでに入力さ
れればよい。即ち、ページモード印刷実行指令と同時に強調印刷実行のコマンドを入力す
ることに限定されず、ページモード印刷データの入力途中若しくはその終了後に入力する
ことができる。
【００２４】
この発明は、上記発明の実施の形態及び実施例の説明に何ら限定されるものではない。
特許請求の範囲の記載を逸脱せず、当業者が容易に想到できる範囲で種々の変形態様もこ
の発明に含まれる。
【図面の簡単な説明】
【００２５】
【図１】図１はシリアルドットインパクトヘッドを用いたスタンダードモード印刷とページモード印刷を示す図である。
【図２】図２はこの発明の実施例の強調印刷の状態を示す図である。
【図３】図３はこの発明の実施例の印刷装置のヘッド周りの構成を示す。
【図４】図４は同じく印刷装置の構成を示すブロック図である。
【図５】図５はページモード制御部の構成を示すブロック図である。
【図６】図６は同じく印刷装置の動作を示すフローチャートである。
【符号の説明】
【００２６】
１、１１  シリアルドットインパクトヘッド
２、１２  帳票
１３  印刷ワイヤ
１５  キャリッジ
【図１】
2005053115.tif 000003
【図２】
2005053115.tif 000004
【図３】
2005053115.tif 000005
【図４】
2005053115.tif 000006
【図５】
2005053115.tif 000007
【図６】
2005053115.tif 000008